(57)【要約】      （修正有）【課題】回路板を搬送ユニット上で回転前進させ、回路板に対し均一に加工プロセスを行わせる回転機構を有する回路板挟持治具を提供する。【解決手段】搬送ユニット３上に支持搬送される外フレーム板３０に支持される環形板１０及び複数の挟持具２０からなる。回路板２は環形板１０の開口部１００内に収容されて挟持具２０により支持される。環形板１０は、外フレーム板３０の羽根車４２を備えた円板４１上に回転可能に支持され、搬送ユニット３により処理工程を進行する際に羽根車４２に対する水流によって円板４１を介して環形板１０が回転する。【選択図】図３
0003186505.tif 000002
【実用新案登録請求の範囲】
【請求項１】
搬送ユニット上に立たせて支持されて湿式処理を行う回路板の支持具において、
該搬送ユニットの移送に伴って回転する回転機構を有する環形板を備え、
該環形板は、記回路板を収容する開口部を備えて、該開口部の相対する２側辺に設けた複数の挟持具により該開口部内に該回路板を収容設置する、
回路板挟持治具。
【請求項２】
前記環形板は、環孔を設けた外フレーム板の該環孔に対して配置され、
該環孔の一側縁に設置された複数のローラによって回転可能に支持された、
請求項１に記載の回転機構を有する回路板挟持治具。
【請求項３】
前記環形板の外形は、該環孔の寸法より大きい請求項２に記載の回転機構を有する回路板挟持治具。
【請求項４】
前記ローラは、円板及び該円板一側面に設置した羽根車からなる請求項２に記載の回転機構を有する回路板挟持治具。
【請求項５】
前記外フレーム板の環孔の相対する二側にそれぞれ設置した一対の固定部材を備え、該固定部材により前記環形板を定位する、
請求項２に記載の回転機構を有する回路板挟持治具。
【請求項６】
前記ローラは複数であり、かつ、該環孔の外縁に間隔をおいて設置される請求項２に記載の回転機構を有する回路板挟持治具。
【請求項７】
前記ローラは、矩形配列を呈する請求項６に記載の回転機構を有する回路板挟持治具。
【請求項８】
前記開口部は、矩形孔である請求項１に記載の回転機構を有する回路板挟持治具。
【請求項９】
一対の挟持ロッドを更に具え、該対挟持ロッド両端は、該環形板の開口部の相対する二側に支持され、前記挟持具は、一対の挟持ロッド上にそれぞれ結合される請求項１に記載の回転機構を有する回路板挟持治具。
【請求項１０】
前記環形板の該開口部の隣接箇所に相対して複数の溝を設けて複数の弾性部材を配置し、前記挟持ロッド両端を該弾性部材を介して支持することにより該挟持ロッドを該弾性部材の弾発力に抗してスライド移動可能に支持した、
請求項９に記載の回転機構を有する回路板挟持治具。
【考案の詳細な説明】
【技術分野】
【０００１】
本考案は、回路板の挟持治具に関し、特に、回転機構を有する回路板挟持治具に関する。
【背景技術】
【０００２】
一般的に、回路板プロセス中のエッチング、洗浄等のウェットプロセスにおいて、その回路板は、通常、挟持治具を介して固定した後、加工を行う。加工過程において、回路板は、直立又は横置きの方式で搬送ユニット上に支持され、搬送ユニットに支持された回路板を予め設けたレイアウトに沿って前向きに搬送し、回路板にエッチング又は洗浄等の加工作業を行う。
【０００３】
しかしながら、上記直立方式で搬送するプロセスについて述べれば、回路板が挟持治具に固定され、搬送される時、回路板は、同一方向及び角度で挟持固定されて前進するので、加工の過程において、回路板は、依然として少しの部分領域が洗浄又は腐食を受けることができず、回路板を均一に加工できず、回路板プロセス中の欠陥を招き、製品の合格率を低減する。
【０００４】
これに鑑み、本考案者は、上記目的を達成する為、研究に専念し、学理の運用を合わせ、ようやく設計が合理的且つ上記欠陥を効率的に改善する本考案を提出する。
【先行技術文献】
【特許文献】
【０００５】
【特許文献１】特開２０１３−１４０９３４号公報
【考案の概要】
【考案が解決しようとする課題】
【０００６】
本考案の目的は、回路板を搬送ユニット上で回転前進させ、回路板に対し均一に加工プロセスを行わせる回転機構を有する回路板挟持治具を提供することにある。
【課題を解決するための手段】
【０００７】
上記の目的を達成する為、本考案の回転機構を有する回路板挟持治具は、搬送ユニットに支持され、環形板及び複数の挟持具を含む。環形板は、搬送ユニット上に立たせて置かれ、搬送ユニットの連動を受けて回転し、環形板は、回路板を収容可能な開口部を設ける。挟持具は、それぞれ環形板の開口部に相対する二側箇所に設けられ、回路板を挟持する。
【０００８】
本考案のもう１つの目的は、環形板を、ローラを有する外フレーム板中に結合し、且つ環形板外縁は、ローラ上に係止され、環形板及び回路板を連動し、回転操作を行うことができる回転機構を有する回路板挟持治具を提供することにある。
【０００９】
本考案のもう１つの目的は、ローラの数量が複数であり、外フレーム板の環孔周縁に矩形を呈して配列され、十分な支持力を提供し、該環形板の回転を均衡して連動することができる回路板挟持治具を提供することにある。
【考案の効果】
【００１０】
従来に比較し、本考案の回転機構を有する回路板挟持治具は、回路板を環形板の開口部中に挟持し、環形板を搬送ユニット上に立たせて置き、回路板が搬送ユニットの連動を受けて回転することができるので、回路板の回転を連動し、回路板を搬送ユニット上で回転前進させ、回路板の一部分の領域が洗浄又はエッチング等のプロセスを受けることができなくなることを回避し、全面的に回路板に対し、加工を行うことができる。
【図面の簡単な説明】
【００１１】
【図１】本考案の回転機構を有する回路板挟持治具の立体外観説明図である。
【図２】本考案の回転機構を有する回路板挟持治具の組み合わせ平面図である。
【図３】本考案の回転機構を有する回路板挟持治具の使用説明図である。
【考案を実施するための形態】
【００１２】
本考案の詳細説明及び技術内容に関し、図面を参照して以下に説明するが、図面は、参考及び説明用に提供するものであって、本考案の権利行使に当たって何らかの制限を加えるものと解すべきではない。
【００１３】
図１を参照する。
本考案の回転機構を有する回路板挟持治具の立体外観説明図である。本考案は、回転機構を有する回路板挟持治具１を提供し、回路板２を挟持することに用いる。該挟持治具１は、環形板１０及び複数の挟持具２０を有する。該環形板１０は、回路板２を収容可能な開口部１００を設ける。該挟持具２０は、それぞれ該環形板１０の開口部１００の相対する二側辺に設けられ、該回路板２を挟持する。
【００１４】
本考案の実施例において、該挟持治具１は、外フレーム板３０、少なくとも１つのローラ４０及び一対の固定部材５０を更に備える。該外フレーム板３０は、該環形板１０に対応する環孔３００を設け、該環形板１０は、該環孔３００上に対応して結合される。該ローラ４０は、該環孔３００の側縁に設置され、該環形板１０の外縁１０１に滑動可能に設置される。該対固定部材５０は、該外フレーム板３０の環孔３００の相対する二側にそれぞれ設置され、該環形板１０を定位することに用いる。
【００１５】
本実施例において、該環形板１０の開口部１００は、矩形孔であり、該外フレーム板３０は、矩形板片であり、且つ環形板１０の外形は、該環孔３００の寸法より大きい。また、該ローラ４０は、円板４１と、該円板４１一側面に設置する羽根車４２とからなる。好ましくは、該ローラ４０の数量は、複数であり、該ローラ４０は、該外フレーム板３０の環孔３００の外縁に設置される。好ましくは、該ローラ４０の配置は、矩形を呈し、該環孔３００の周縁に配列され、十分な支持力を提供し、該環形板１０の回転を均衡して連動する。
【００１６】
また、該挟持治具１は、更に、一対の挟持ロッド６０及び複数の弾性部材７０を備える。該対挟持ロッド６０は、該環形板１０の開口部１００の相対する二側に配置され、該挟持具２０は、それぞれ該対挟持ロッド６０上に結合される。
また、該環形板１０の該開口部１００の隣接箇所に相対して複数の溝１１を設け、弾性部材７０を該溝１１内に配置して、該挟持ロッド６０の両端を該弾性部材７０上に弾性的に係止し、該挟持ロッド６０を該溝１１の長さに沿って該弾性部材７０の弾発力に抗してスライド可能とする。
本実施例において、該弾性部材７０は、バネであり、実際の実施時、これに制限するものではない。
【００１７】
図２及び図３を再度参照する。これらはそれぞれ本考案の回転機構を有する回路板挟持治具の組み合わせ平面図及び使用説明図である。本考案の挟持治具１は、搬送ユニット３上に支持される。本実施例において、該搬送ユニット３は、搬送ローラであるが、実施において、これに制限するものではなく、搬送ベルト等のその他の搬送装置を設置することもできる。
【００１８】
使用時、該環形板１０は、該搬送ユニット３上に立てて置かれ、該搬送ユニット３の駆動を受けて回転する。即ち、本考案中の回路板挟持治具１は、ストレート方式で搬送し、該環形板１０は、その側辺により該搬送ユニット３に当接し、該環形板１０を前進移動させる時、該搬送ユニット３に相対して直立状態を呈する。
【００１９】
本実施例において、該環形板１０は、該外フレーム板３０上に結合され、該搬送ユニット３の連動を受け、また、該ローラ４０は、外力の作用を受けて回転する。処理工程において、該ローラ４０の羽根車４２に対して水流を作用させて該円板４１を回転させ、これにより環形板外縁を介して該円板４１上に支持される環形板１０を駆動することにより、該環形板１０及び該回路板２を回転させる。
【００２０】
該ローラ４０が回転する時、該ローラ４０上に外縁１０１を介して支持される環形板１０が相対して回転し、これにより、該環形板１０上に挟持された回路板２がそれに伴って回転する。これにより、該回路板２は、該搬送ユニット３上で回転前進でき、該回路板２に対し、均一に加工プロセスを行うことができる。
【００２１】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２２】
１  挟持治具
２  回路板
３  搬送ユニット
１０  環形板
１００  開口部
１０１  外縁
１１  溝
２０  挟持具
３０  外フレーム板
３００  環孔
４０  ローラ
４１  円板
４２  羽根車
５０  固定部材
６０  挟持ロッド
７０  弾性部材
【図１】
0003186505.tif 000003
【図２】
0003186505.tif 000004
【図３】
0003186505.tif 000005